(57)【要約】      （修正有）【課題】椅子の座にしっかりと取外し可能に取り付けることができるクッションを提供する。【解決手段】本体部と、本体部の側部で、かつ、対向する位置に付設した少なくとも一対の折曲げ部３，３と、折曲げ部３，３同士を連結する連結部材４を有するクッション１であって、折り曲げ部３は、任意の部分で折り曲げ可能に形成され、本体部を、椅子１０の座１１に載置し、折曲げ部３を座１１の裏側方向に折り曲げ、連結部材４で折り曲げ部３，３同士を連結することにより、クッション１を椅子１０の座１１に取外し可能に取付けることができるようにした。【選択図】図５
0003205059.tif 000002
【実用新案登録請求の範囲】
【請求項１】
本体部と、該本体部の側部で、かつ、対向する位置に付設した少なくとも一対の折曲げ部と、該折曲げ部同士を連結する連結部材を有するクッションであって、
前記折り曲げ部は、任意の部分で折り曲げ可能に形成され、
前記本体部を、椅子の座に載置し、前記折曲げ部を座の裏側方向に折り曲げ、前記連結部材で折り曲げ部同士を連結することにより、前記クッションを椅子の座に取外し可能に取付けることができるようにしたことを特徴とするクッション。
【請求項２】
前記本体部を方形状に形成し、該本体部の４辺の夫々に前記折曲げ部を付設したことを特徴とする請求項１記載のクッション。
【請求項３】
前記折曲げ部を、二等辺三角形状に形成し、前記折曲げ部の底辺部を前記本体部の側部に付設し、その頂点部に前記連結部材を付設したことを特徴とする請求項１又は２記載のクッション。
【考案の詳細な説明】
【技術分野】
【０００１】
本考案は、クッション、より詳しくは、椅子の座に取外し可能に取り付けることができるクッションに関するものである。
【背景技術】
【０００２】
従来、例えば、方形状に形成した本体部を有し、この本体部の何れか一つの側部に２本のひもを、夫々の一端部を取付けて備えたクッションが知られている。
【０００３】
このクッションは、椅子の座に本体部を載置し、椅子の背の両側部から後側にひもを回して、紐同士を結ぶことで、クッションを椅子に取付けることができるようになっている。
【考案の概要】
【考案が解決しようとする課題】
【０００４】
しかし、上記従来のクッションは、その後部を一対のひもにより、椅子に固定しているだけのために、クッションの両側部と前部は椅子に対して固定されていないとともに、クッションの後部も椅子に対してしっかりと固定することは難しく、使用時にクッションが横方向等にずれたりする恐れがある。
【０００５】
そこで、本考案は、椅子の座にしっかりと取外し可能に取り付けることができるクッションを提供することを目的とするものである。
【課題を解決するための手段】
【０００６】
前記の課題を解決するために、請求項１記載の考案は、本体部と、該本体部の側部で、かつ、対向する位置に付設した少なくとも一対の折曲げ部と、該折曲げ部同士を連結する連結部材を有するクッションであって、
前記折り曲げ部は、任意の部分で折り曲げ可能に形成され、
前記本体部を、椅子の座に載置し、前記折曲げ部を座の裏側方向に折り曲げ、前記連結部材で折り曲げ部同士を連結することにより、前記クッションを椅子の座に取外し可能に取付けることができるようにしたことを特徴とするものである。
【０００７】
請求項２記載の考案は、請求項１記載の考案において、前記本体部を方形状に形成し、該本体部の４辺の夫々に前記折曲げ部を付設したことを特徴とするものである。
【０００８】
請求項３記載の考案は、請求項１又は２記載の考案において、前記折曲げ部を、二等辺三角形状に形成し、前記折曲げ部の底辺部を前記本体部の側部に付設し、その頂点部に前記連結部材を付設したことを特徴とするものである。
【考案の効果】
【０００９】
本考案によれば、本体部と、本体部の側部で、かつ、対向する位置に設けた少なくとも一対の折曲げ部と、折曲げ部同士を連結する連結部材を有し、記折り曲げ部は、任意の部分で折り曲げ可能に形成され、本体部を、椅子の座に載置し、折曲げ部を座の裏側方向に折り曲げ、連結部材で折り曲げ部同士を連結することにより、クッションを椅子の座に取外し可能に取付けることができるようにしたことにより、前記従来のクッションよりも、使用時における本体部の座に対するずれを少なくすることができる。
【図面の簡単な説明】
【００１０】
【図１】本考案のクッションの平面図。
【図２】図１の裏面図。
【図３】図１の側面図。
【図４】図１のクッションを椅子に取付けた状態の斜視図。
【図５】図４の底面図。
【考案を実施するための形態】
【００１１】
本考案を実施するための形態を図に基づいて説明する。
【００１２】
本考案のクッション１は、図１，図２に示すように、上面視において正方形又は長方形からなる方形状に形成された本体部２を有する。本体部２における周方向の４辺には、夫々二等辺三角形状に形成された折曲げ部３の底辺部が縫設されている。すなわち、本体部２の側部で、かつ、対向する位置に二対の折曲げ部３が設けられている。この４つの折曲げ部３を広げると、図１，図２に示すように、略正方形状となるようになっている。
【００１３】
本体部２は、任意の生地で構成した内布と外布の内部に綿等の充填材を充填して構成されている。また、折曲げ部３は、任意の部分で折曲げできる任意の生地で構成されている。
【００１４】
各折曲げ部３の頂点部には、紐、ホック、面ファスナー、磁石等からなる連結部材が設けられており、本実施例では紐４を用いた。
【００１５】
次に、本考案のクッション１の使用方法について説明する。
【００１６】
本体部２を、図４に示すように、折曲げ部３が椅子１０の座１１から外側方向に突出するように、座１１の上に載置する。
【００１７】
次に、図４，図５に示すように、折曲げ部３を座１１の側面に沿って、座１１の裏側方向に折り曲げ、対向する折曲げ部３に設けた連結部材である紐４同士を、座１１の裏面において、取り外し可能に結んで、対向する折曲げ部３、３同士を連結し、これを２対行う。
【００１８】
これにより、椅子１０の座１１にクッション１を取り外し可能に取付けることができ、上記従来のクッションよりも、座１１にクッション１を取付けた状態における、クッション１の使用時に、本体部２の座１１に対するずれを少なくすることができる。
【００１９】
また、折曲げ部３を、二等辺三角形状に形成し、その底辺部を本体部２の側部に付設し、その頂点部に紐４を付設したことにより、折曲げ部３における面積の広い底辺部が、座１１の上面や側部に当接するために、折曲げ部３と座１１との接触面積を大きくすることができ、座１１にクッション１を取付けた状態における、クッション１の使用時に、本体部２の座１１に対するずれを少なくすることができる。
【００２０】
折曲げ部３は任意の部分で折り曲げできるとともに、紐を用いて対向する折曲げ部３、３同士を連結するようにしたことにより、本体部２と椅子１０の座１１の大きさが異なる様々な大きさの座１１に対しても、良好に取付けることができる。
【００２１】
また、座１１の上面形状が、方形状ではなく、６角形状等の多角形状のものに対しても良好に取付けることができる。
【００２２】
なお、本体部２は、座１１に載置することができれば、上記の方形状以外にも、六角形等の任意の形状に形成することができる。また、折曲げ部３も、座１１の裏側方向に折り曲げることができれば、上記の二等辺三角形状以外にも、任意の形状に形成することができる。
【００２３】
また、折曲げ部３は、本体部２の側部で、かつ、対向する位置に少なくとも一対設けられていればよく、一対でも複数対でもよい。例えば、本体部２が六角形状の場合には、折曲げ部３を三対設けてもよい。
【符号の説明】
【００２４】
１  クッション
２  本体部
３  折曲げ部
４  連結部材
【図１】
0003205059.tif 000003
【図２】
0003205059.tif 000004
【図３】
0003205059.tif 000005
【図４】
0003205059.tif 000006
【図５】
0003205059.tif 000007